(57)【要約】【課題】記録媒体に記録された情報の保存または複製を制限し、機密情報の管理や著作権の保護をすることができる情報処理装置、情報処理方法、情報処理プログラムおよび記録媒体を提供する。【解決手段】第１の情報が記録された記録媒体と、前記記録媒体に付され第２の情報が記録された情報保存媒体とを有する情報記録体とから前記第１の情報を読取る読取部１１０と、前記情報保存媒体から前記第２の情報を読取る読取部１１０と、読取部１１０が読取った前記第１の情報を保存処理する保存部１３０と、読取部１１０が読取った第２の情報に基づいて、保存部１３０による保存処理を行なうか否かを判定する制御部１２０とを備える。【選択図】          図１
2004295169.tif 000002
【特許請求の範囲】
【請求項１】
第１の情報が記録された記録媒体と、前記記録媒体に付され第２の情報が記録された情報保存媒体とを有する情報記録体とから前記第１の情報を読取る第１の読取り手段と、
前記情報保存媒体から前記第２の情報を読取る第２の読取手段と、
前記第１の読取手段が読取った前記第１の情報を処理する処理手段と、
前記第２の読取手段が読取った第２の情報に基づいて、前記処理手段による処理を行なうか否かを判定する判定手段とを備えたことを特徴とする情報処理装置。
【請求項２】
情報が記録された記録媒体と、前記記録媒体に付され前記記録媒体を特定する識別情報が記録された情報保存媒体とを有する情報記録体とから前記情報を読取る第１の読取手段と、
前記情報保存媒体から前記識別情報を読取る第２の読取手段と、
前記第１の読取手段が読取った前記情報を処理する処理手段と、
前記第２の読取手段が読取った識別情報に基づいて前記処理手段による処理を行なうか否かを判定する判定手段とを備えたことを特徴とする情報処理装置。
【請求項３】
前記第１の読取手段が前記記録媒体から前記情報を読取った回数を、前記識別情報毎に記憶する回数記憶手段を更に備え、
前記判定手段は、前記回数記憶手段が記憶する回数に基づいて前記処理手段による処理を行なうか否かを判定することを特徴とする請求項２に記載の情報処理装置。
【請求項４】
前記判定手段は、前記回数記憶手段が記憶する回数が所定の回数を超えた場合は、前記処理手段による処理を行なわないと判定することを特徴とする請求項３に記載の情報処理装置。
【請求項５】
情報が記録された記録媒体と、前記記録媒体に付され前記記録媒体の作成日時を特定する作成日時情報が記録された情報保存媒体とを有する情報記録体とから前記情報を読取る第１の読取り手段と、
前記情報保存媒体から前記作成日時情報を読取る第２の読取手段と、
前記第１の読取手段が読取った前記情報を処理する処理手段と、
前記第２の読取手段が読取った前記作成日時情報に基づいて前記処理手段による処理を行なうか否かを判定する判定手段とを備えたことを特徴とする情報処理装置。
【請求項６】
前記判定手段は、現在日時と前記記録媒体の作成日時との差に基づいて、前記処理手段による処理を行なうか否かを判定することを特徴とする請求項５に記載の情報処理装置。
【請求項７】
前記判定手段は、現在日時と前記記録媒体の作成日時との差が所定期間よりも短い場合に、前記処理手段による処理を行なわないと判定することを特徴とする請求項６に記載の情報処理装置。
【請求項８】
前記判定手段は、現在日時と前記記録媒体の作成日時との差が所定期間よりも長い場合に、前記処理手段による処理を行なわないと判定することを特徴とする請求項６に記載の情報処理装置。
【請求項９】
情報が記録された記録媒体と、前記記録媒体に付され前記記録媒体に関する日時を特定する日時情報が記録された情報保存媒体とを有する情報記録体とから前記情報を読取る第１の読取手段と、
前記情報保存媒体から前記日時情報を読取る第２の読取手段と、
前記第１の読取手段が読取った前記情報を処理する処理手段と、
前記第２の読取手段が読取った前記日時情報に基づいて前記処理手段による処理を行なうか否かを判定する判定手段とを備えたことを特徴とする情報処理装置。
【請求項１０】
前記判定手段は、現在日時と前記記録媒体に関する日時との差が所定期間よりも短い場合に、前記処理手段による処理を行なわないと判定することを特徴とする請求項９に記載の情報処理装置。
【請求項１１】
前記判定手段は、現在日時と前記記録媒体に関する日時との差が所定期間よりも長い場合に、前記処理手段による処理を行なわないと判定することを特徴とする請求項９に記載の情報処理装置。
【請求項１２】
情報が記録された複数の記録媒体からなる記録媒体群と、前記記録媒体群に付され前記記録媒体群を特定する識別情報が記録された情報保存媒体とから前記記録媒体毎に前記情報を読取る第１の読取手段と、
前記情報保存媒体から前記識別情報を読取る第２の読取手段と、
前記第１の読取手段が読取った前記情報を処理する処理手段と、
前記第２の読取手段が読取った識別情報に基づいて前記処理手段による処理を行なうか否かを判定する判定手段とを備えたことを特徴とする情報処理装置。
【請求項１３】
前記第１の読取手段が前記記録媒体から前記情報を読取った回数を、前記識別情報毎に記憶する回数記憶手段を更に備え、
前記判定手段は、前記回数記憶手段が記憶する回数に基づいて前記処理手段による処理を行なうか否かを判定することを特徴とする請求項１２に記載の情報処理装置。
【請求項１４】
前記判定手段は、前記回数記憶手段が記憶する回数が所定の回数を超えた場合に、前記処理手段による処理を行なわないと判定することを特徴とする請求項１３に記載の情報処理装置。
【請求項１５】
情報が記録された複数の記録媒体からなる記録媒体群と、前記記録媒体群に付され前記記録媒体群を特定する識別情報および前記記録媒体群が含む記録媒体の数が記録された情報保存媒体とから前記記録媒体毎に前記情報を読取る第１の読取手段と、
前記情報保存媒体から前記識別情報および前記記録媒体群が含む記録媒体の数を読取る第２の読取手段と、
前記第１の読取手段が読取った前記情報を処理する処理手段と、
前記第１の読取手段が前記記録媒体群のうち何れの記録媒体から情報を読取ったかを特定する記録媒体特定手段と、
前記第１の読取手段が前記記録媒体から前記情報を読取った回数を、前記識別情報毎に、且つ、前記記録媒体特定手段により特定された記録媒体毎に記憶する回数記憶手段と、
前記回数記憶手段が記憶する回数に基づいて前記処理手段による処理を行なうか否かを判定する判定手段とを備えたことを特徴とする情報処理装置。
【請求項１６】
前記第１の読取手段が読取った記録媒体の情報に文字認識処理をする文字認識手段を備え、
前記記録媒体特定手段は、前記文字認識手段が前記記録媒体のページ番号を認識することによって、前記第１の読取手段が前記記録媒体群のうち何れの記録媒体から情報を読取ったかを特定することを特徴とする請求項１５に記載の情報処理装置。
【請求項１７】
前記記録媒体特定手段は、前記第２の読取手段が所定時間内に且つ断続的に一の識別情報を読取った回数によって、前記第１の読取手段が前記記録媒体群のうちどの記録媒体から情報を読取ったかを特定することを特徴とする請求項１５に記載の情報処理装置。
【請求項１８】
前記判定手段は、前記記録媒体特定手段により特定された記録媒体の数が所定の値を超えた場合に、前記処理手段による処理を行なわないと判定することを特徴とする請求項１５に記載の情報処理装置。
【請求項１９】
前記判定手段は、前記記録媒体特定手段により特定された記録媒体の数の前記記録媒体群に対する割合が所定の値を超えた場合に、前記処理手段による処理を行なわないと判定することを特徴とする請求項１５に記載の情報処理装置。
【請求項２０】
前記判定手段は、前記記録媒体特定手段により特定された記録媒体の連続する数が所定の値を超えた場合に、前記処理手段による処理を行なわないと判定することを特徴とする請求項１５に記載の情報処理装置。
【請求項２１】
情報が記録された複数の記録媒体からなる記録媒体群と、前記記録媒体群に付され前記記録媒体群の処理の制限に関する属性を示す制限情報が記録された情報保存媒体とから前記記録媒体毎に前記情報を読取る第１の読取手段と、
前記情報保存媒体から前記識別情報を読取る第２の読取手段と、
前記第１の読取手段が読取った前記情報を処理する処理手段と、
前記第２の読取手段が読取った制限情報に基づいて前記処理手段による処理を行なうか否かを判定する判定手段とを備えたことを特徴とする情報処理装置。
【請求項２２】
前記判定手段は、前記制限情報に前記処理手段による処理を禁止する旨が記録されている場合は、前記処理手段による処理を行なわないと判定することを特徴とする請求項２１に記載の情報処理装置。
【請求項２３】
前記判定手段は、前記制限情報に、前記処理手段が処理する前記記録媒体の数の限度数が記録されている場合は、前記処理限度数を超えて前記処理手段による処理を行なわないと判定することを特徴とする請求項２１に記載の情報処理装置。
【請求項２４】
前記判定手段は、前記制限情報に、前記処理手段による処理を許可する記録媒体記録が記録されている場合は、前記許可された記録媒体以外の記録媒体について前記処理手段による処理を行なわないと判定することを特徴とする請求項２１に記載の情報処理装置。
【請求項２５】
情報が記録された複数の記録媒体からなる記録媒体群と、前記記録媒体群に付され前記記録媒体群の作成日時を特定する作成日時情報が記録された情報保存媒体とを有する情報記録体とから前記記録媒体毎に前記情報を読取る第１の読取手段と、
前記情報保存媒体から前記識別情報を読取る第２の読取手段と、
前記第１の読取手段が読取った前記情報を処理する処理手段と、
前記第２の読取手段が読取った作成日時情報に基づいて前記処理手段による処理を行なうか否かを判定する判定手段とを備えたことを特徴とする情報処理装置。
【請求項２６】
前記判定手段は、現在日時と前記作成日との差が所定期間より短い場合は、前記処理手段による処理を行なわないと判定することを特徴とする請求項２４に記載の情報処理装置。
【請求項２７】
前記判定手段は、現在日時と前記作成日との差が所定期間より長い場合は、前記処理手段による処理を行なわないと判定することを特徴とする請求項２４に記載の情報処理装置。
【請求項２８】
情報が記録された複数の記録媒体からなる記録媒体群と、前記記録媒体群に付され前記記録媒体群に関する日時を特定する日時情報が記録された情報保存媒体とを有する情報記録体とから前記記録媒体毎に前記情報を読取る第１の読取手段と、
前記情報保存媒体から前記日時情報を読取る第２の読取手段と、
前記第１の読取手段が読取った前記情報を処理する処理手段と、
前記第２の読取手段が読取った前記日時情報に基づいて前記処理手段による処理を行なうか否かを判定する判定手段とを備えたことを特徴とする情報処理装置。
【請求項２９】
前記判定手段は、現在日時と前記記録媒体群に関する日時との差が所定期間よりも短い場合は、前記処理手段による処理を行なわないと判定することを特徴とする請求項２７に記載の情報処理装置。
【請求項３０】
前記判定手段は、現在日時と前記記録媒体群に関する日時との差が所定期間よりも長い場合は、前記処理手段による処理を行なわないと判定することを特徴とする請求項２７に記載の情報処理装置。
【請求項３１】
第１の情報が記録された記録媒体と、前記記録媒体に付され第２の情報が記録された情報保存媒体とを有する情報記録体とから前記第１の情報を読取る第１の読取りステップと、
前記情報保存媒体から前記第２の情報を読取る第２の読取ステップと、
前記第１の読取ステップで読取った前記第１の情報を処理する処理ステップと、
前記第２の読取ステップで読取った第２の情報に基づいて、前記処理ステップによる処理を行なうか否かを判定する判定ステップとを備えたことを特徴とする情報処理方法。
【請求項３２】
第１の情報が記録された記録媒体と、前記記録媒体に付され第２の情報が記録された情報保存媒体とを有する情報記録体とから前記第１の情報を読取る第１の読取りステップと、
前記情報保存媒体から前記第２の情報を読取る第２の読取ステップと、
前記第１の読取ステップで読取った前記第１の情報を処理する処理ステップと、
前記第２の読取ステップで読取った第２の情報に基づいて、前記処理ステップによる処理を行なうか否かを判定する判定ステップとをコンピュータに実行させることを特徴とする情報処理プログラム。
【請求項３３】
請求項３２に記載の情報処理プログラムを記録した記録媒体。
【発明の詳細な説明】
【０００１】
【発明の属する技術分野】
本発明は、機密情報等を記録する記録媒体の複製を防止する情報処理装置、情報処理方法、情報処理プログラムおよび記録媒体に関する。
【０００２】
【従来の技術】
従来、機密情報等を記録する記録媒体の複製を防止するようにした技術としては、特許文献１に記載された技術が知られている。このものは、原稿の所定の特性を検知する検知手段と、該検知手段により検知された特性に基づいて前記原稿の種類を識別する識別手段と、操作者の情報を入力する入力手段と、前記識別手段によって識別された原稿の種類が複製を制限すべき原稿である場合に該原稿の種類と前記入力手段により入力された操作者コードとに基づいて画像形成の可否を判断する判断手段とを備えることで、複製を制限するようになっている。
【０００３】
また、特許文献２に記載された技術は、複写対象物の識別子と、その複写対象物の複写条件とを関連づけて蓄積するデータベースに接続された複写装置であって、複写の指示を受けて、複写対象物を読取るメインスキャナ手段と、当該複写対象物の識別子を判別する手段と、前記判別した複写対象物の識別子に関連する複写条件を前記データベースから取得する手段と、前記取得した複写条件が満たされるときのみ、前記メインスキャナ手段が読取った複写対象物の複写物を印字する印字手段とを備え、複製を制限するようになっている。
【０００４】
また、特許文献３に記載された技術は、複写機において機密文書当の複写を管理する複写管理方法であって、複写機において画像をデジタル的に読取り、そのその複写機内部には不揮発性メモリを持ち、複写操作時に、操作する人のパスワードあるいは識別番号、さらにこの文書の配布予定者の識別番号を要求し、これが満たされたとき、本複写機は文書の読取りを開始し、該複写機は文書中に存在する特定のパターンからそのＩＤを読取り、上記メモリ上に記憶してあるパスワードと文書ＩＤ番号と配布者のＩＤ番号の組を検索することによって、複製を制限するようになっている。
【０００５】
【特許文献１】
特開平７−１１５５３７号公報
【０００６】
【特許文献２】
特開２００２−２０９０３９号公報
【０００７】
【特許文献３】
特開平７−４９６４５号公報
【０００８】
【発明が解決しようとする課題】
しかしながら、特許文献１に記載された技術では、原稿の地色に基づいて複製動作の可否を判断するため、原稿の地色が制限されてしまうという問題があった。
【０００９】
また、特許文献２に記載された技術では、書籍の裏に記載されたＩＳＢＮ（国際標準図書番号）を読取ってこれに基づいて複製動作の可否を判断するため、ＩＳＢＮの記載部分の切り貼り操作等によって複製禁止を解除されてしまうという問題があった。
【００１０】
また、特許文献３に記載された技術では、文書中に存在する特定のパターンからそのＩＤを読取り、このＩＤに基づいて複製動作の可否を判断するため、やはり切り貼り等によって複製禁止を解除されてしまうという問題があった。
【００１１】
本発明は、このような問題を解決するためになされたもので、記録媒体に記録された情報の保存または複製を制限し、機密情報の管理や著作権の保護をすることができる情報処理装置、情報処理方法、情報処理プログラムおよび記録媒体を提供することを目的とする。
【００１２】
【課題を解決するための手段】
本発明の情報処理装置は、上記課題を解決するために、第１の情報が記録された記録媒体と、前記記録媒体に付され第２の情報が記録された情報保存媒体とを有する情報記録体とから前記第１の情報を読取る第１の読取り手段と、前記情報保存媒体から前記第２の情報を読取る第２の読取手段と、前記第１の読取手段が読取った前記第１の情報を処理する処理手段と、前記第２の読取手段が読取った第２の情報に基づいて、前記処理手段による処理を行なうか否かを判定する判定手段とを備えたことを特徴としている。
【００１３】
この構成により、本発明の情報処理装置では、記録媒体に記録された情報の保存または複製を制限し、機密情報の管理や著作権の保護をすることができる。
【００１４】
また、本発明の情報処理装置は、上記課題を解決するために、情報が記録された記録媒体と、前記記録媒体に付され前記記録媒体を特定する識別情報が記録された情報保存媒体とを有する情報記録体とから前記情報を読取る第１の読取手段と、前記情報保存媒体から前記識別情報を読取る第２の読取手段と、前記第１の読取手段が読取った前記情報を処理する処理手段と、前記第２の読取手段が読取った識別情報に基づいて前記処理手段による処理を行なうか否かを判定する判定手段とを備えたことを特徴としている。
【００１５】
この構成により、本発明の情報処理装置では、記録媒体に記録された情報の保存または複製を制限し、機密情報の管理や著作権の保護をすることができる。
【００１６】
また、本発明の情報処理装置は、上記課題を解決するために、前記第１の読取手段が前記記録媒体から前記情報を読取った回数を、前記識別情報毎に記憶する回数記憶手段を更に備え、前記判定手段は、前記回数記憶手段が記憶する回数に基づいて前記処理手段による処理を行なうか否かを判定することを特徴としている。
【００１７】
この構成により、本発明の情報処理装置では、記録媒体に記録された情報の保存または複製を制限し、機密情報の管理や著作権の保護をすることができる。
【００１８】
また、本発明の情報処理装置は、上記課題を解決するために、前記判定手段は、前記回数記憶手段が記憶する回数が所定の回数を超えた場合は、前記処理手段による処理を行なわないと判定することを特徴としている。
【００１９】
この構成により、本発明の情報処理装置では、記録媒体に記録された情報の保存または複製を制限し、機密情報の管理や著作権の保護をすることができる。
【００２０】
また、本発明の情報処理装置は、上記課題を解決するために、情報が記録された記録媒体と、前記記録媒体に付され前記記録媒体の作成日時を特定する作成日時情報が記録された情報保存媒体とを有する情報記録体とから前記情報を読取る第１の読取り手段と、前記情報保存媒体から前記作成日時情報を読取る第２の読取手段と、前記第１の読取手段が読取った前記情報を処理する処理手段と、前記第２の読取手段が読取った前記作成日時情報に基づいて前記処理手段による処理を行なうか否かを判定する判定手段とを備えたことを特徴としている。
【００２１】
この構成により、本発明の情報処理装置では、記録媒体に記録された情報の保存または複製を制限し、機密情報の管理や著作権の保護をすることができる。
【００２２】
また、本発明の情報処理装置は、上記課題を解決するために、前記判定手段は、現在日時と前記記録媒体の作成日時との差に基づいて、前記処理手段による処理を行なうか否かを判定することを特徴としている。
【００２３】
この構成により、本発明の情報処理装置では、記録媒体に記録された情報の保存または複製を制限し、機密情報の管理や著作権の保護をすることができる。
【００２４】
また、本発明の情報処理装置は、上記課題を解決するために、前記判定手段は、現在日時と前記記録媒体の作成日時との差が所定期間よりも短い場合に、前記処理手段による処理を行なわないと判定することを特徴としている。
【００２５】
この構成により、本発明の情報処理装置では、記録媒体に記録された情報の保存または複製を制限し、機密情報の管理や著作権の保護をすることができる。
【００２６】
また、本発明の情報処理装置は、上記課題を解決するために、前記判定手段は、現在日時と前記記録媒体の作成日時との差が所定期間よりも長い場合に、前記処理手段による処理を行なわないと判定することを特徴としている。
【００２７】
この構成により、本発明の情報処理装置では、記録媒体に記録された情報の保存または複製を制限し、機密情報の管理や著作権の保護をすることができる。
【００２８】
また、本発明の情報処理装置は、上記課題を解決するために、情報が記録された記録媒体と、前記記録媒体に付され前記記録媒体に関する日時を特定する日時情報が記録された情報保存媒体とを有する情報記録体とから前記情報を読取る第１の読取手段と、前記情報保存媒体から前記日時情報を読取る第２の読取手段と、前記第１の読取手段が読取った前記情報を処理する処理手段と、前記第２の読取手段が読取った前記日時情報に基づいて前記処理手段による処理を行なうか否かを判定する判定手段とを備えたことを特徴としている。
【００２９】
この構成により、本発明の情報処理装置では、記録媒体に記録された情報の保存または複製を制限し、機密情報の管理や著作権の保護をすることができる。
【００３０】
また、本発明の情報処理装置は、上記課題を解決するために、前記判定手段は、現在日時と前記記録媒体に関する日時との差が所定期間よりも短い場合に、前記処理手段による処理を行なわないと判定することを特徴としている。
【００３１】
この構成により、本発明の情報処理装置では、記録媒体に記録された情報の保存または複製を制限し、機密情報の管理や著作権の保護をすることができる。
【００３２】
また、本発明の情報処理装置は、上記課題を解決するために、前記判定手段は、現在日時と前記記録媒体に関する日時との差が所定期間よりも長い場合に、前記処理手段による処理を行なわないと判定することを特徴としている。
【００３３】
この構成により、本発明の情報処理装置では、記録媒体に記録された情報の保存または複製を制限し、機密情報の管理や著作権の保護をすることができる。
【００３４】
また、本発明の情報処理装置は、上記課題を解決するために、情報が記録された複数の記録媒体からなる記録媒体群と、前記記録媒体群に付され前記記録媒体群を特定する識別情報が記録された情報保存媒体とから前記記録媒体毎に前記情報を読取る第１の読取手段と、前記情報保存媒体から前記識別情報を読取る第２の読取手段と、前記第１の読取手段が読取った前記情報を処理する処理手段と、前記第２の読取手段が読取った識別情報に基づいて前記処理手段による処理を行なうか否かを判定する判定手段とを備えたことを特徴としている。
【００３５】
この構成により、本発明の情報処理装置では、記録媒体に記録された情報の保存または複製を制限し、機密情報の管理や著作権の保護をすることができる。
【００３６】
また、本発明の情報処理装置は、上記課題を解決するために、前記第１の読取手段が前記記録媒体から前記情報を読取った回数を、前記識別情報毎に記憶する回数記憶手段を更に備え、前記判定手段は、前記回数記憶手段が記憶する回数に基づいて前記処理手段による処理を行なうか否かを判定することを特徴としている。
【００３７】
この構成により、本発明の情報処理装置では、記録媒体に記録された情報の保存または複製を制限し、機密情報の管理や著作権の保護をすることができる。
【００３８】
また、本発明の情報処理装置は、上記課題を解決するために、前記判定手段は、前記回数記憶手段が記憶する回数が所定の回数を超えた場合に、前記処理手段による処理を行なわないと判定することを特徴としている。
【００３９】
この構成により、本発明の情報処理装置では、記録媒体に記録された情報の保存または複製を制限し、機密情報の管理や著作権の保護をすることができる。
【００４０】
また、本発明の情報処理装置は、上記課題を解決するために、情報が記録された複数の記録媒体からなる記録媒体群と、前記記録媒体群に付され前記記録媒体群を特定する識別情報および前記記録媒体群が含む記録媒体の数が記録された情報保存媒体とから前記記録媒体毎に前記情報を読取る第１の読取手段と、前記情報保存媒体から前記識別情報および前記記録媒体群が含む記録媒体の数を読取る第２の読取手段と、前記第１の読取手段が読取った前記情報を処理する処理手段と、前記第１の読取手段が前記記録媒体群のうち何れの記録媒体から情報を読取ったかを特定する記録媒体特定手段と、前記第１の読取手段が前記記録媒体から前記情報を読取った回数を、前記識別情報毎に、且つ、前記記録媒体特定手段により特定された記録媒体毎に記憶する回数記憶手段と、前記回数記憶手段が記憶する回数に基づいて前記処理手段による処理を行なうか否かを判定する判定手段とを備えたことを特徴としている。
【００４１】
この構成により、本発明の情報処理装置では、記録媒体に記録された情報の保存または複製を制限し、機密情報の管理や著作権の保護をすることができる。
【００４２】
また、本発明の情報処理装置は、上記課題を解決するために、前記第１の読取手段が読取った記録媒体の情報に文字認識処理をする文字認識手段を備え、前記記録媒体特定手段は、前記文字認識手段が前記記録媒体のページ番号を認識することによって、前記第１の読取手段が前記記録媒体群のうち何れの記録媒体から情報を読取ったかを特定することを特徴としている。
【００４３】
この構成により、本発明の情報処理装置では、記録媒体に記録された情報の保存または複製を制限し、機密情報の管理や著作権の保護をすることができる。
【００４４】
また、本発明の情報処理装置は、上記課題を解決するために、前記記録媒体特定手段は、前記第２の読取手段が所定時間内に且つ断続的に一の識別情報を読取った回数によって、前記第１の読取手段が前記記録媒体群のうちどの記録媒体から情報を読取ったかを特定することを特徴としている。
【００４５】
この構成により、本発明の情報処理装置では、記録媒体に記録された情報の保存または複製を制限し、機密情報の管理や著作権の保護をすることができる。
【００４６】
また、本発明の情報処理装置は、上記課題を解決するために、前記判定手段は、前記記録媒体特定手段により特定された記録媒体の数が所定の値を超えた場合に、前記処理手段による処理を行なわないと判定することを特徴としている。
【００４７】
この構成により、本発明の情報処理装置では、記録媒体に記録された情報の保存または複製を制限し、機密情報の管理や著作権の保護をすることができる。
【００４８】
また、本発明の情報処理装置は、上記課題を解決するために、前記判定手段は、前記記録媒体特定手段により特定された記録媒体の数の前記記録媒体群に対する割合が所定の値を超えた場合に、前記処理手段による処理を行なわないと判定することを特徴としている。
【００４９】
この構成により、本発明の情報処理装置では、記録媒体に記録された情報の保存または複製を制限し、機密情報の管理や著作権の保護をすることができる。
【００５０】
また、本発明の情報処理装置は、上記課題を解決するために、前記判定手段は、前記記録媒体特定手段により特定された記録媒体の連続する数が所定の値を超えた場合に、前記処理手段による処理を行なわないと判定することを特徴としている。
【００５１】
この構成により、本発明の情報処理装置では、記録媒体に記録された情報の保存または複製を制限し、機密情報の管理や著作権の保護をすることができる。
【００５２】
また、本発明の情報処理装置は、上記課題を解決するために、情報が記録された複数の記録媒体からなる記録媒体群と、前記記録媒体群に付され前記記録媒体群の処理の制限に関する属性を示す制限情報が記録された情報保存媒体とから前記記録媒体毎に前記情報を読取る第１の読取手段と、前記情報保存媒体から前記識別情報を読取る第２の読取手段と、前記第１の読取手段が読取った前記情報を処理する処理手段と、前記第２の読取手段が読取った制限情報に基づいて前記処理手段による処理を行なうか否かを判定する判定手段とを備えたことを特徴としている。
【００５３】
この構成により、本発明の情報処理装置では、記録媒体に記録された情報の保存または複製を制限し、機密情報の管理や著作権の保護をすることができる。
【００５４】
また、本発明の情報処理装置は、上記課題を解決するために、前記判定手段は、前記制限情報に前記処理手段による処理を禁止する旨が記録されている場合は、前記処理手段による処理を行なわないと判定することを特徴としている。
【００５５】
この構成により、本発明の情報処理装置では、記録媒体に記録された情報の保存または複製を制限し、機密情報の管理や著作権の保護をすることができる。
【００５６】
また、本発明の情報処理装置は、上記課題を解決するために、前記判定手段は、前記制限情報に、前記処理手段が処理する前記記録媒体の数の限度数が記録されている場合は、前記処理限度数を超えて前記処理手段による処理を行なわないと判定することを特徴としている。
【００５７】
この構成により、本発明の情報処理装置では、記録媒体に記録された情報の保存または複製を制限し、機密情報の管理や著作権の保護をすることができる。
【００５８】
また、本発明の情報処理装置は、上記課題を解決するために、前記判定手段は、前記制限情報に、前記処理手段による処理を許可する記録媒体記録が記録されている場合は、前記許可された記録媒体以外の記録媒体について前記処理手段による処理を行なわないと判定することを特徴としている。
【００５９】
この構成により、本発明の情報処理装置では、記録媒体に記録された情報の保存または複製を制限し、機密情報の管理や著作権の保護をすることができる。
【００６０】
また、本発明の情報処理装置は、上記課題を解決するために、情報が記録された複数の記録媒体からなる記録媒体群と、前記記録媒体群に付され前記記録媒体群の作成日時を特定する作成日時情報が記録された情報保存媒体とを有する情報記録体とから前記記録媒体毎に前記情報を読取る第１の読取手段と、前記情報保存媒体から前記識別情報を読取る第２の読取手段と、前記第１の読取手段が読取った前記情報を処理する処理手段と、前記第２の読取手段が読取った作成日時情報に基づいて前記処理手段による処理を行なうか否かを判定する判定手段とを備えたことを特徴としている。
【００６１】
この構成により、本発明の情報処理装置では、記録媒体に記録された情報の保存または複製を制限し、機密情報の管理や著作権の保護をすることができる。
【００６２】
また、本発明の情報処理装置は、上記課題を解決するために、前記判定手段は、現在日時と前記作成日との差が所定期間より短い場合は、前記処理手段による処理を行なわないと判定することを特徴としている。
【００６３】
この構成により、本発明の情報処理装置では、記録媒体に記録された情報の保存または複製を制限し、機密情報の管理や著作権の保護をすることができる。
【００６４】
また、本発明の情報処理装置は、上記課題を解決するために、前記判定手段は、現在日時と前記作成日との差が所定期間より長い場合は、前記処理手段による処理を行なわないと判定することを特徴としている。
【００６５】
この構成により、本発明の情報処理装置では、記録媒体に記録された情報の保存または複製を制限し、機密情報の管理や著作権の保護をすることができる。
【００６６】
また、本発明の情報処理装置は、上記課題を解決するために、情報が記録された複数の記録媒体からなる記録媒体群と、前記記録媒体群に付され前記記録媒体群に関する日時を特定する日時情報が記録された情報保存媒体とを有する情報記録体とから前記記録媒体毎に前記情報を読取る第１の読取手段と、前記情報保存媒体から前記日時情報を読取る第２の読取手段と、前記第１の読取手段が読取った前記情報を処理する処理手段と、前記第２の読取手段が読取った前記日時情報に基づいて前記処理手段による処理を行なうか否かを判定する判定手段とを備えたことを特徴としている。
【００６７】
この構成により、本発明の情報処理装置では、記録媒体に記録された情報の保存または複製を制限し、機密情報の管理や著作権の保護をすることができる。
【００６８】
また、本発明の情報処理装置は、上記課題を解決するために、前記判定手段は、現在日時と前記記録媒体群に関する日時との差が所定期間よりも短い場合は、前記処理手段による処理を行なわないと判定することを特徴としている。
【００６９】
この構成により、本発明の情報処理装置では、記録媒体に記録された情報の保存または複製を制限し、機密情報の管理や著作権の保護をすることができる。
【００７０】
また、本発明の情報処理装置は、上記課題を解決するために、前記判定手段は、現在日時と前記記録媒体群に関する日時との差が所定期間よりも長い場合は、前記処理手段による処理を行なわないと判定することを特徴としている。
【００７１】
この構成により、本発明の情報処理装置では、記録媒体に記録された情報の保存または複製を制限し、機密情報の管理や著作権の保護をすることができる。
【００７２】
また、本発明の情報処理方法は、上記課題を解決するために、第１の情報が記録された記録媒体と、前記記録媒体に付され第２の情報が記録された情報保存媒体とを有する情報記録体とから前記第１の情報を読取る第１の読取りステップと、前記情報保存媒体から前記第２の情報を読取る第２の読取ステップと、前記第１の読取ステップで読取った前記第１の情報を処理する処理ステップと、前記第２の読取ステップで読取った第２の情報に基づいて、前記処理ステップによる処理を行なうか否かを判定する判定ステップとを備えたことを特徴としている。
【００７３】
この構成により、本発明の情報処理方法では、記録媒体に記録された情報の保存または複製を制限し、機密情報の管理や著作権の保護をすることができる。
【００７４】
また、本発明の情報処理プログラムは、上記課題を解決するために、第１の情報が記録された記録媒体と、前記記録媒体に付され第２の情報が記録された情報保存媒体とを有する情報記録体とから前記第１の情報を読取る第１の読取りステップと、前記情報保存媒体から前記第２の情報を読取る第２の読取ステップと、前記第１の読取ステップで読取った前記第１の情報を処理する処理ステップと、前記第２の読取ステップで読取った第２の情報に基づいて、前記処理ステップによる処理を行なうか否かを判定する判定ステップとをコンピュータに実行させることを特徴としている。
【００７５】
この構成により、本発明の情報処理プログラムでは、記録媒体に記録された情報の保存または複製を制限し、機密情報の管理や著作権の保護をすることができる。
【００７６】
また、本発明の記録媒体は、上記課題を解決するために、上記の情報処理プログラムを記録したことを特徴としている。
【００７７】
この構成により、本発明の記録媒体によれば、記録媒体に記録された情報の保存または複製を制限し、機密情報の管理や著作権の保護をすることができる。
【００７８】
【発明の実施の形態】
以下、本発明の好ましい実施形態を図面に基づいて説明する。
【００７９】
まず、本実施形態の情報処理装置１００の説明に先立ち、情報処理装置１００が読取る原稿４１０および、書籍５１０について説明する。
【００８０】
図３に示すように記録媒体としての原稿４１０は、紙、樹脂、布等の任意の原料から構成された１枚のシート状のものであり、文字、記号等の情報４１５が印刷等の手段によって記録されるとともに、情報保存媒体としてのＩＣチップ４２０が接着等の手段により付されている。ＩＣチップ４２０には、原稿４１０に関する種々の属性情報が記録されている。具体的には、ＩＣチップ４２０には、原稿４１０を特定するＩＤ番号（識別情報）、または原稿４１０の作成日時を特定する作成日時情報、または情報処理装置１００による原稿４１０の情報の保存処理の処理期限日時情報のうち少なくとも１つ以上が記録されている。なお、本明細書においては、記録媒体としての原稿４１０と、原稿４１０に付された情報保存媒体としてのＩＣチップ４２０とを総称して情報記録体４００と言う。
【００８１】
また、図４（ａ）、（ｂ）に示すように記録媒体群としての書籍５１０は、紙、樹脂、布等の任意の原料から構成されたシート５１１を複数枚束にして一端を止めたものであり、各シート５１１には文字、記号等の情報５１５およびページ番号５３０が印刷等の手段によって記録されている。また、書籍５１０の背部には、情報保存媒体としてのＩＣチップ５２０が接着等の手段により１つ付されている。ＩＣチップ５２０には、書籍５１０に関する種々の属性情報が記録されている。具体的には、ＩＣチップ５２０には、書籍５１０を特定するＩＤ番号（識別情報）、または書籍５１０が幾つのシート５１１から構成されているかを示すページ枚数情報、または書籍５１０の作成日時を特定する作成日時情報、または情報処理装置１００による書籍５１０の情報の保存処理の処理期限日時情報、または情報処理装置１００による書籍５１０に記録された情報５１５の処理の制限に関する制限情報のうち少なくとも１つ以上が記録されている。ここで、作成日時情報とは、書籍５１０が作成された日時の情報のことであり、実際の作成日、出版日、改定日等がこれに相当する。また、制限情報には、情報処理装置１００が書籍５１０を読み取った後の保存の可否、または書籍５１０のうち何れのシートの保存を許可するか、または保存を許可するシート５１１の数の情報が含まれる。なお、本明細書においては、記録媒体群としての書籍５１０と、書籍５１０に付された情報保存媒体としてのＩＣチップ５２０とを総称して情報記録体５００と言う。
【００８２】
なお、記録媒体および情報保存媒体としては、前述した原稿４１０や書籍５１０の他に、ＣＤ−ＲＯＭ（Ｃｏｍｐａｃｔ  Ｄｉｓｋ  Ｒｅａｄ  Ｏｎｌｙ  Ｍｅｍｏｒｙ）、ＩＣカード、メモリカード、プラスチックカード、紙幣、有価証券等を含む。
【００８３】
次に、前述した原稿４１０、および書籍５１０を読取る情報処理装置１００について説明する。
【００８４】
図１は、本発明の一実施形態の情報処理装置１００を示すブロック図である。情報処理装置１００は、図３および図４（ａ）、（ｂ）に示す情報記録体４００、５００を読取る機能を備えるものである。すなわち、情報処理装置１００は、図３に示す記録媒体としての原稿４１０および原稿４１０に付されたＩＣチップ４２０、そして図４（ａ）、（ｂ）に示す記録媒体群としての書籍５１０および書籍５１０に付されたＩＣチップ５２０を読取る機能を備える。
【００８５】
情報処理装置１００は、図１に示すように、情報記録体４００および情報記録体５００を読取る読取り部１１０と、読取り部１１０が読取った情報の保存処理に関する制御、および情報処理装置１００全体の統括制御を行なう制御部１２０と、読取り部１１０が読取った情報の保存、および情報処理装置１００の動作に関する各種データの保存をする保存部３１０と、外部とのデータの遣り取りを司る通信部１４０とを備える。
【００８６】
保存部３１０は、ハードディスクまたは光磁気ディスク等から構成され、制御部１２０からの制御によって、読取り部１１０が読取った情報の保存の他、情報記録体４００および情報記録体５００を読取り部１１０が何回読取ったかという読取履歴を、ＩＣチップ４２０、５２０が記録するＩＤ番号ごとに保存するようになっている。
【００８７】
また、通信部１４０は、制御部１２０からの制御によって、有線または無線による通信回線を介して他のサーバ３００とデータの遣り取りをするようになっている。
【００８８】
また、制御部１２０は内部時計を有し、この内部時計から現在日時を取得することができるようになっている。更に、制御部１２０は、読取り部１１０が読取った情報に対して文字認識処理をする機能を有している。
【００８９】
読取部１１０は、図２に示すように、自動原稿搬送機能を備えたいわゆるＡＤＦとしての構成を有しており、独立した複数のシート状の原稿４１０を１枚づつ分離して読取る機能と、複数のシート状の原稿が束になった書籍５１０をコンタクトガラス２ａ上に開いた状態に載置して読取る機能とを備えるものである。
【００９０】
読取部１１０は、原稿トレイ４、分離部５、搬送部６、排出部７および排出トレイ８を備える。
【００９１】
原稿トレイ４は、複数の原稿４１０からなる原稿束Ｐを載置するようになっており、この原稿束Ｐは分離部５によって１枚ずつに分離される。
【００９２】
分離部５は、突き当て板９、呼び出しコロ（呼び出し部材）１０、給紙ベルト１１、および分離コロ（阻止部材）１２から構成される。
【００９３】
突き当て板９は、原稿束Ｐの先端が突き当てられることにより、原稿束Ｐの先端を揃えるとともに、原稿束Ｐが分離部５側に侵入するのを防止するようになっており、図示しない突き当てソレノイドによって原稿束Ｐの先端に当接する位置および離隔する位置の間で移動するようになっている。
【００９４】
呼び出しコロ１０は、図示しない呼び出しソレノイドによって原稿束Ｐの上面に当接する位置および離隔する位置の間で移動可能に設けられており、呼び出しソレノイドが駆動されると、呼び出しソレノイドによって離隔位置から当接位置に移動され、原稿束Ｐの上部に位置する１の原稿４１０を給紙するようになっている。このとき、突き当てソレノイドも駆動されて突き当て板９が原稿束Ｐの先端から離隔する。
【００９５】
給紙ベルト１１は、駆動ローラ１１ａおよび従動ローラ１１ｂに巻回されており、原稿の分離時に図示しない給紙モータによって、従動ローラ１１ａが時計方向に駆動されるのにつれて時計方向に周回移動するようになっている。
【００９６】
分離コロ１２は、給紙ベルト１１に摺接しており、給紙モータによって時計方向に回転駆動されるようになっている。この結果、原稿束Ｐから最上位に位置する原稿４１０のみが分離される。
【００９７】
搬送部６は、駆動ローラ１３および駆動ローラ１３に摺接する従動ローラ１４から構成されており、分離部５によって分離された原稿４１０を挟持してスリットガラス２ｂ、すなわち読取位置に搬送するようになっている。
【００９８】
スリットガラス２ｂの下方には、スキャナ２０および非接触タイプのＩＣリーダ２１が停止されており、スリットガラス２ｂを通過する原稿４１０は、スキャナ２０およびＩＣリーダ２１によって原稿４１０に記録された情報４１５およびＩＣチップ４２０に記録された情報をそれぞれ読取るようになっている。
【００９９】
排紙部７は第１排紙ローラ対１５および第２排紙ローラ対１６から構成されており、スリットガラス２ｂを通過した原稿４１０は、第１の排紙ローラ対１５および第２の排紙ローラ対１６に挟持されて排出トレイ８上に排出されるようになっている。
【０１００】
また、コンタクトガラス２ａに書籍５１０を図４（ａ）に示すように開いた状態で載置して読取りをする場合には、スキャナ２０およびＩＣチップリーダ２１を、コンタクトガラス２ａの下方で図２に示す矢印３０の左右方向に移動させることにより、書籍５１０のシート５１１に記録された情報５１５およびＩＣチップ４２０に記録された情報を読取るようになっている。
【０１０１】
ここで、ＩＣチップリーダ２１とＩＣチップ４２０、５２０との間におけるデータの授受について説明する。ＩＣチップリーダ２１は、ＩＣチップ４２０、５２０との間で電波を用いて非接触型のデータ授受をするようになっている。具体的には、ＩＣチップ４２０、５２０は、電力受信、データ受信／送信を兼ねるアンテナと、メモリおよびＡＳＩＣが１チップ化されたものであり、また、ＩＣチップリーダ２１は、電力送信、データ受信／送信を兼ねるアンテナと、コントローラ等で構成される。
【０１０２】
このようなＩＣチップリーダ２１とＩＣチップ４２０、５２０においては、ＩＣチップリーダ２１側から必要に応じてコマンドおよびデータを電波の搬送波信号に乗せて送信し、ＩＣチップ４２０、５２０側ではその搬送波信号により必要な電力を発生させ、データの書込み、読出しおよび送信に利用してＩＣチップリーダ２１側にデータを返すので電池が不用である。また、ＩＣチップ４２０、５２０が備えるメモリとしては、ＥＥＰＲＯＭ（電気的消去・再書込可能なメモリ）あるいはＦＲＡＭ（強誘電体メモリ）を使用する。
【０１０３】
なお、スキャナ２０およびＩＣチップリーダ２１により、原稿４１０または書籍５１０のシート５１１に記録された情報４１５、５１５、およびＩＣチップ４２０、５２０に記録された情報を読取る際は、原稿４１０または書籍５１０のシート５１１に記録された情報４１５、５１５、およびＩＣチップ４２０、５２０に記録された情報を同時に読取る他に、ＩＣチップリーダ２１がＩＣチップ４２０、５２０に記録された情報を読取った後に、スキャナ２０が原稿４１０または書籍５１０のシート５１１に記録された情報４１５、５１５を読取るようにしてもよい。すなわち、スキャナ２０およびＩＣチップリーダ２１をコンタクトガラス２ａの下方で図２中、左右方向に移動させてＩＣチップリーダ２１がＩＣチップに記録された情報を読取った後に、スキャナ２０およびＩＣチップリーダ２１をコンタクトガラス２ａの下方で図２中、左右方向に移動させて、スキャナ２０が原稿４１０または書籍５１０のシート５１１に記録された情報４１５、５１５を読取るようにしてもよい。
【０１０４】
なお、本実施形態では、ＩＣチップリーダ２１がＩＣチップ４２０、５２０を読取ることのできる距離は、原稿４１０または書籍５１０のシート５１１がコンタクトガラス２ａ上にあるときとなるように設定されている。従って、コンタクトガラス２ａに書籍５１０を図４（ａ）に示すように開いた状態で載置して読取りをする場合には、ページめくりの為に書籍５１０をコンタクトガラス２ａから持ち上げた状態では、ＩＣチップリーダ２１はＩＣチップ５２０を読取ることができないようになっている。
【０１０５】
次に動作を説明する。まず、情報処理装置１００が、図３に示すシート状の原稿４１０を読取る場合の動作について、ＩＣチップ４２０に記録された属性情報ごとに説明する。
【０１０６】
（ＩＣチップ４２０に属性情報としてＩＤ番号が記録されている場合の動作）
【０１０７】
まず、スキャナ２０は原稿４１０を読取るとともに、ＩＣチップリーダ２１はＩＣチップ４２０を読取る。
【０１０８】
次いで、制御部１２０は、保存部１３０に保存されている読取履歴を参照し、ＩＣチップリーダ２１が読取ったＩＣチップ４２０が記録するＩＤ番号と同じＩＤ番号を持つ原稿４１０を、過去に何回スキャナ２０が読取ったかを調べる。
【０１０９】
制御部１２０は、読取履歴として保存部１３０に保存されている読取回数が、所定の読取回数を超えていない場合は、スキャナ２０が読取った原稿４１０に記録された情報４１５を保存部１３０に保存するとともに、読取回数に１を加算して読取履歴を更新する。
【０１１０】
一方、読取履歴として保存部１３０に保存されている読取回数が、所定の読取回数を超えている場合は、スキャナ２０が読取った原稿４１０に記録された情報４１５を保存部１３０に保存せずに破棄する。
【０１１１】
（ＩＣチップ４２０に属性情報としてＩＤ番号および作成日時情報が記録されている場合の動作）
【０１１２】
まず、スキャナ２０は原稿４１０を読取るとともに、ＩＣチップリーダ２１はＩＣチップ４２０を読取る。
【０１１３】
次いで、制御部１２０は、制御部１２０が有する内部時計を参照し、内部時計が示す現在日時と、ＩＣチップリーダ２１が読取ったＩＣチップ４２０が記録する作成日時とを比較する。
【０１１４】
制御部１２０は、内部時計が示す現在日時と、ＩＣチップリーダ２１が読取ったＩＣチップ４２０が記録する作成日時との差が、所定の期間より長い場合、すなわち現在日時が作成日時から所定期間経過している場合は、スキャナ２０が読取った原稿４１０に記録された情報４１５を保存部１３０に保存するとともに、読取回数に１を加算して読取履歴を更新する。
【０１１５】
一方、内部時計が示す現在日時と、ＩＣチップリーダ２１が読取ったＩＣチップ４２０が記録する作成日時との差が、所定の期間より長い場合、すなわち現在日時が作成日時から所定期間経過している場合は、スキャナ２０が読取った原稿４１０に記録された情報４１５を保存部１３０に保存せずに破棄する。
【０１１６】
このようにすることで、作成日時から所定期間経過していない原稿４１０は、保存することができないので、原稿４１０に記録された情報４１５を複製したり、通信回線を介して他のサーバ３００に送信することを制限することができる。
【０１１７】
なお、上記とは逆に、内部時計が示す現在日時と、ＩＣチップリーダ２１が読取ったＩＣチップ４２０が記録する作成日時との差が所定の期間より短い場合に、スキャナ２０が読取った原稿４１０に記録された情報４１５を保存部１３０に保存するとともに、読取回数に１を加算して読取履歴を更新するようにしてもよい。この場合、例えば、所定期間経過して古くなった原稿４１０の情報４１５を複製したり、通信回線を介して他のサーバ３００に送信することを制限することができる。
【０１１８】
（ＩＣチップ４２０に属性情報としてＩＤ番号および処理期限日時情報が記録されている場合の動作）
【０１１９】
まず、スキャナ２０は原稿４１０を読取るとともに、ＩＣチップリーダ２１はＩＣチップ４２０を読取る。
【０１２０】
次いで、制御部１２０は、制御部１２０が有する内部時計を参照し、内部時計が示す現在日時と、ＩＣチップリーダ２１が読取ったＩＣチップ４２０が記録する処理期限日時とを比較する。
【０１２１】
制御部１２０は、現在日時が処理期限日時を経過している場合は、スキャナ２０が読取った原稿４１０に記録された情報４１５を保存部１３０に保存するとともに、読取回数に１を加算して読取履歴を更新する。
【０１２２】
一方、現在日時が処理期限日時を経過していない場合は、スキャナ２０が読取った原稿４１０に記録された情報４１５を保存部１３０に保存せずに破棄する。
【０１２３】
このようにすることで、現在日時が処理期限日時を経過していない原稿４１０は、保存することができないので、原稿４１０に記録された情報４１５を処理期限日時の経過以前に複製したり、通信回線を介して他のサーバ３００に送信することを制限することができる。
【０１２４】
なお、上記とは逆に、現在日時が処理期限日時を経過していない場合に、スキャナ２０が読取った原稿４１０に記録された情報４１５を保存部１３０に保存するとともに、読取回数に１を加算して読取履歴を更新し、現在日時が処理期限日時を経過している場合は保存部１３０に保存せずに破棄するようにしてもよい。この場合、例えば、処理期限日時を経過して古くなった原稿４１０の情報４１５を複製したり、通信回線を介して他のサーバ３００に送信することを制限することができる。
【０１２５】
次に、情報処理装置１００が、図４（ａ）、（ｂ）に示す書籍５１０を読取る場合の動作について、ＩＣチップ５２０に記録された属性情報ごとに説明する。なお、前述した通り、書籍５１０を読取る場合は、操作者は、書籍５１０を図４（ａ）に示すように開いた状態にしてコンタクトガラス２ａに載置して、開かれたシート５１１、すなわち開かれたページの情報５１５をスキャナ２０により読取るとともに、ＩＣチップ５２０をＩＣチップリーダ２１により読取る。また、複数のシートを読取る際は、操作者は、一旦書籍５１０をコンタクトガラス２ａから持ち上げ、次のシートを開いてから再び書籍５１０をコンタクトガラス２ａに載置して読取を行なう。
【０１２６】
（ＩＣチップ５２０に属性情報としてＩＤ番号およびページ枚数情報が記録されている場合の動作）
【０１２７】
まず、スキャナ２０は開かれた書籍５１０のシート５１１に記録された情報５１５を読取るとともに、ＩＣチップリーダ２１はＩＣチップ５２０に記録されたＩＤ番号およびページ枚数情報を読取る。
【０１２８】
次いで、制御部１２０は、ＩＣチップリーダ２１がＩＣチップ５２０を読みとった回数に基づいて、シート５１１が書籍５１０のどのページに相当するのかを特定する。具体的には、ページをめくり隣のシート５１１を読取るときは、コンタクトガラス２ａから書籍５１０が持ち上げられ、ＩＣチップリーダ２１とＩＣチップ５２０との距離が広がり、ＩＣチップリーダ２１はＩＣチップ５２０を読取ることができなくなるので、ＩＣチップ５２０を読取れなくなってから、所定時間内にシート５１１がめくられた後再びＩＣチップ５２０を読取ると、制御部１２０は、前回の隣のシート５１１が開かれてコンタクトガラス２ａに載置されていると判断する。これを繰り返すことで、制御部１２０は、書籍５１０のうち何番目のシート５１１が読取られたか、すなわちシート５１１のページ番号を特定する。
【０１２９】
なお、ページめくりがなされず、ＩＣチップリーダ２１がＩＣチップ５２０を読取れる状態で、スキャナ２０が複数回の読取をした場合は、制御部１２０は、同一シートを複数回読取ったと判断する。
【０１３０】
そして、制御部１２０は、スキャナ２０によるシート５１１の読取回数を、ＩＤ番号ごとに、且つ、シート５１１ごとに読取履歴として保存部１３０に保存する。これにより、いずれの書籍５１０であるかがＩＤ番号により特定され、さらに当該書籍５１０のどのシート５１１に対して何回スキャナ２０が読取をしたかが保存部１３０に読取履歴として記録されることになる。
【０１３１】
次いで、制御部１２０は、保存部１３０に保存されている読取履歴を参照して、スキャナ２０により読取ったシート５１１の数を求め、読取ったシート５１１の数と、ＩＣチップ５２０から読取ったページ枚数情報との割合が所定の値を超えている場合は、スキャナ２０が読取ったシート５１１に記録された情報５１５を保存部１３０に保存せずに破棄する。
【０１３２】
一方、読取ったシート５１１の数と、ＩＣチップ５２０から読取ったページ枚数情報との割合が所定の値を超えていない場合は、スキャナ２０が読取ったシート５１１に記録された情報５１５を保存部１３０に保存するとともに、読取回数に１を加算して読取履歴を更新する。換言すると、制御部１２０は、書籍５１０の全シート数に対するスキャナ２０によって読取ったシート数の割合が所定の値を超えると、読取ったシート５１１の情報５１５を保存部１３０に保存しない。具体的には、１００枚のシート５１１から成る書籍５１０の読取りをする場合は、１００枚のうち例えば３０枚までしか保存部１３０に保存しない。
【０１３３】
このようにすることで、１つの書籍５１０に対して所定の割合のシート５１１のみしか保存することができないので、書籍５１０の全てのシート５１１を複製したり、通信回線を介して他のサーバ３００に送信することを制限することができる。
【０１３４】
なお、制御部１２０は、保存部１３０に保存されている読取履歴を参照して、スキャナ２０により読取った連続するシート５１１の数を求め、連続するシート５１１の数が所定の値を超えている場合は、スキャナ２０が読取ったシート５１１に記録された情報５１５を保存部１３０に保存せずに破棄し、所定の値を超えていない場合は、スキャナ２０が読取ったシート５１１に記録された情報５１５を保存部１３０に保存するとともに、読取回数に１を加算して読取履歴を更新するようにしてもよい。ここで、連続するシート５１１とは、ページが隣り合っているシート５１１のことを言い、例えば、連続するシート５１１を５枚読取ると、以降は読取っても保存部１３０に保存しない。
【０１３５】
このようにすることで、書籍５１０の全てのシート５１１を複製したり、通信回線を介して他のサーバ３００に送信することを制限することができる。
【０１３６】
また、上記の例では、操作者による書籍５１０のコンタクトガラス２ａ上での上げ下げに伴なうＩＣチップリーダ２１とＩＣチップ５２０との距離の変化によって、シート５１１のページ番号の特定をするようになっているが、この他に、ＯＣＲ（Ｏｐｔｉｃａｌ  Ｃｈａｒａｃｔｅｒ  Ｒｅａｄｅｒ）方式によりページ番号の特定をするようにしてもよい。その場合、制御部１２０は、シート５１１に記録された情報５１５に対して光学的文字認識処理を行い、シート５１１のページ番号５３０を取得する。
【０１３７】
（ＩＣチップ５２０に属性情報としてＩＤ番号および制限情報が記録されている場合の動作）
【０１３８】
まず、スキャナ２０は開かれた書籍５１０のシート５１１に記録された情報５１５を読取るとともに、ＩＣチップリーダ２１はＩＣチップ５２０に記録されたＩＤ番号および制限情報を読取る。
【０１３９】
次いで、制御部は、ＩＣチップ５２０に記録されている制限情報の内容に応じて、書籍５１０が記録する情報５１５の保存部１３０への保存処理を行なうか否かの判定を行なう。
【０１４０】
すなわち、制限情報に、書籍５１０が記録する情報５１５の保存部１３０への保存処理を禁止する旨が記録されている場合は、スキャナ２０が読取った情報５１５を保存部１３０に保存しない。一方、書籍５１０が記録する情報５１５の保存部１３０への保存処理を許可する旨が記録されている場合は、スキャナ２０が読取った情報５１５を保存部１３０に保存する。
【０１４１】
また、制限情報に、書籍５１０を構成する全ての数のシート５１１のうち、幾つのシート５１１まで保存部１３０に保存してよいかという情報が記録されている場合は、保存が許可されたシート５１１の数を超えて保存部１３０に保存しない。
【０１４２】
また、制限情報に、書籍５１０を構成する全ての数のシート５１１のうち、何れのシート５１１が保存部１３０に保存してよいかという情報が記録されている場合は、保存が許可されたシート５１１以外は保存部１３０に保存しない。
【０１４３】
（ＩＣチップ５２０に属性情報としてＩＤ番号および作成日時情報が記録されている場合の動作）
【０１４４】
まず、スキャナ２０は書籍５１０を構成するシート５１１を読取るとともに、ＩＣチップリーダ２１はＩＣチップ５２０を読取る。
【０１４５】
次いで、制御部１２０は、制御部１２０が有する内部時計を参照し、内部時計が示す現在日時と、ＩＣチップリーダ２１が読取ったＩＣチップ５２０が記録する作成日時とを比較する。
【０１４６】
制御部１２０は、内部時計が示す現在日時と、ＩＣチップリーダ２１が読取ったＩＣチップ５２０が記録する作成日時との差が、所定の期間より長い場合、すなわち現在日時が作成日時から所定期間経過している場合は、スキャナ２０が読取ったシート５１１に記録された情報５１５を保存部１３０に保存するとともに、読取回数に１を加算して読取履歴を更新する。
【０１４７】
一方、内部時計が示す現在日時と、ＩＣチップリーダ２１が読取ったＩＣチップ５２０が記録する作成日時との差が、所定の期間より長い場合、すなわち現在日時が作成日時から所定期間経過している場合は、スキャナ２０が読取ったシート５１１に記録された情報５１５を保存部１３０に保存せずに破棄する。
【０１４８】
このようにすることで、作成日時から所定期間経過していない書籍５１０のシート５１１は、保存することができないので、書籍５１０のシート５１１に記録された情報５１５を複製したり、通信回線を介して他のサーバ３００に送信することを制限することができる。
【０１４９】
なお、上記とは逆に、内部時計が示す現在日時と、ＩＣチップリーダ２１が読取ったＩＣチップ５２０が記録する作成日時との差が所定の期間より短い場合に、スキャナ２０が読取ったシート５１１に記録された情報５１５を保存部１３０に保存するとともに、読取回数に１を加算して読取履歴を更新するようにしてもよい。この場合、例えば、所定期間経過して古くなった書籍５１０のシート５１１の情報５１５を複製したり、通信回線を介して他のサーバ３００に送信することを制限することができる。
【０１５０】
（ＩＣチップ５２０に属性情報としてＩＤ番号および処理期限日時情報が記録されている場合の動作）
【０１５１】
まず、スキャナ２０は書籍５１０を構成するシート５１１を読取るとともに、ＩＣチップリーダ２１はＩＣチップ５２０を読取る。
【０１５２】
次いで、制御部１２０は、制御部１２０が有する内部時計を参照し、内部時計が示す現在日時と、ＩＣチップリーダ２１が読取ったＩＣチップ５２０が記録する処理期限日時とを比較する。
【０１５３】
制御部１２０は、現在日時が処理期限日時を経過している場合は、スキャナ２０が読取ったシート５１１に記録された情報５１５を保存部１３０に保存するとともに、読取回数に１を加算して読取履歴を更新する。
【０１５４】
一方、現在日時が処理期限日時を経過していない場合は、スキャナ２０が読取ったシート５１１に記録された情報５１５を保存部１３０に保存せずに破棄する。
【０１５５】
このようにすることで、現在日時が処理期限日時を経過していない書籍５１０のシート５１１に記録された情報５１５は、保存することができないので、シート５１１に記録された情報５１５を処理期限日時の経過以前に複製したり、通信回線を介して他のサーバ３００に送信することを制限することができる。
【０１５６】
なお、上記とは逆に、現在日時が処理期限日時を経過していない場合に、スキャナ２０が読取ったシート５１１に記録された情報５１５を保存部１３０に保存するとともに、読取回数に１を加算して読取履歴を更新し、現在日時が処理期限日時を経過している場合は保存部１３０に保存せずに破棄するようにしてもよい。この場合、例えば、処理期限日時を経過して古くなった書籍５１０のシート５１１の情報５１５を複製したり、通信回線を介して他のサーバ３００に送信することを制限することができる。
【０１５７】
なお、前述した実施形態では、ＩＣチップ４２０、５２０に記録された属性情報に基づいて、保存部１３０への保存処理を制限するようになっているが、図５に示すように、保存部１３０に保存した情報４１５、５１５の印字出力等をする出力部２１０を更に備え、複写機能を有するようにした情報処理装置２００においては、保存部１３０への保存処理を制限する代わりに、制御部１２０が出力部２１０による出力処理を制限するようにしてもよい。情報処理装置２００においては、保存処理は制限されなくても、出力処理を制限しているので、図１の情報処理装置１００の場合と同様に、機密情報の管理や著作権の保護をすることができる。さらに、保存部１３０での保存処理、または出力部２１０での出力処理の何れかまたは両方を制限する他に、読取った情報４１５、５１５を通信部１４０を介して他のサーバ３００に送信するようにしておき、通信部１４０によるサーバ３００への送信を制限するようにしてもよい。
【０１５８】
なお、現在日時の取得は制御部１２０の内部時計を参照する他に、通信部１４０によって他のサーバ３００から取得するようにしてもよい。同様に、情報処理装置１００、２００による保存処理等の制限に関する所定値および読取履歴は、保存部１３０に保存させておく他に、他のサーバ３００に接続された保存部３１０に保存させておき、通信部１４０によってこれを取得するようにしてもよい。
【０１５９】
なお、本発明は、情報処理装置１００、２００の他、イメージスキャナ、画像形成装置にも適用することができる。
【０１６０】
また、本発明は、情報処理方法としても適用することができる。その場合の情報処理方法は、第１の情報が記録された記録媒体（例えば原稿４１０または書籍５１０）と、前記記録媒体に付され第２の情報が記録された情報保存媒体（例えばＩＣチップ４２０、５２０）とを有する情報記録体とから前記第１の情報を読取る第１の読取りステップと、前記情報保存媒体から前記第２の情報を読取る第２の読取ステップと、前記第１の読取ステップで読取った前記第１の情報を処理する処理ステップと、前記第２の読取ステップで読取った第２の情報に基づいて、前記処理ステップによる処理を行なうか否かを判定する判定ステップとを備える。
【０１６１】
また、本発明は、情報処理プログラムとしても適用することができる。その場合の情報処理プログラムは、第１の情報が記録された記録媒体（例えば原稿４１０または書籍５１０）と、前記記録媒体に付され第２の情報が記録された情報保存媒体（例えばＩＣチップ４２０、５２０）とを有する情報記録体とから前記第１の情報を読取る第１の読取りステップと、前記情報保存媒体から前記第２の情報を読取る第２の読取ステップ（ＩＣリーダ）と、前記第１の読取ステップで読取った前記第１の情報を処理する処理ステップと、前記第２の読取ステップで読取った第２の情報に基づいて、前記処理ステップによる処理を行なうか否かを判定する判定ステップとをコンピュータに実行させる。
【０１６２】
また、本発明は、前述の情報処理プログラムを記録した磁気ディスク等の記録媒体としても適用することができる。
【０１６３】
【発明の効果】
本発明によれば、記録媒体に記録された情報の保存または複製を制限し、機密情報の管理や著作権の保護をすることができる情報処理装置、情報処理方法、情報処理プログラムおよび記録媒体を提供することができる。
【図面の簡単な説明】
【図１】本発明の一実施形態に係る情報処理装置の構成を示すブロック図。
【図２】一実施形態の情報処理装置の読取部の詳細を示す図。
【図３】一実施形態の情報処理装置が読取る原稿を示す図。
【図４】一実施形態の情報処理装置が読取る書籍を示す図であり、（ａ）は表紙を上にして開いた状態、（ｂ）は表紙を下にして開いた状態を示す。
【図５】他の実施形態の情報処理装置の構成を示すブロック図である。
【符号の説明】
２０    スキャナ（第１の読取手段、記録媒体特定手段）
２１    ＩＣチップリーダ（第２の読取手段、記録媒体特定手段）
１００    画像処理装置
１１０    読取部
１２０    制御部（判定手段、記録媒体特定手段）
１３０    保存部（処理手段、回数記憶手段、記録媒体特定手段）
１４０    通信部
２１０    出力部
【図１】
2004295169.tif 000003
【図２】
2004295169.tif 000004
【図３】
2004295169.tif 000005
【図４】
2004295169.tif 000006
【図５】
2004295169.tif 000007